(57)【特許請求の範囲】
【請求項１】
複数のハウジング分割体相互の係合合体によって複数の端子収容部がコネクタ嵌合方向に沿って貫通した構造に組み立てられるインナーハウジングと、このインナーハウジングの外周を覆うように前記インナーハウジングに嵌合装着されるアウターハウジングとを備え、
前記ハウジング分割体相互を係合合体させる手段として、
係合合体させる前記ハウジング分割体相互の一方に装備されて、他方のハウジング分割体において隣接する端子収容部間に挿入される係合片と、
他方のハウジング分割体における端子収容部間に装備されて、挿入された前記係合片に係合して、ハウジング分割体相互を連結状態にする係止部と、を備えたコネクタであって、
前記係合片及び係止部が、係合合体するハウジング分割体相互の嵌合方向に位置をずらした複数箇所に設けられていることを特徴とするコネクタ。
【発明の詳細な説明】
【技術分野】
【０００１】
本発明は、複数のハウジング分割体相互の係合合体によって複数の端子収容部がコネクタ嵌合方向に沿って貫通した構造に組み立てられるインナーハウジングと、このインナーハウジングの外周を覆うように前記インナーハウジングに嵌合装着されるアウターハウジングとを備えるコネクタに関する。
【背景技術】
【０００２】
図５は、下記特許文献１に開示されたコネクタを示したものである。
図５に示したコネクタ１０１は、シールド電線１０３を接続するコネクタで、インナーハウジング１１０と、アウターハウジング１４０と、を備えている。
【０００３】
シールド電線１０３は、２本の信号線１０４と、接地接続用のドレーン線１０５を有した構成である。
【０００４】
インナーハウジング１１０は、２つのハウジング分割体１２１，１３１相互の係合合体によって、複数の端子収容部１１３がコネクタ嵌合方向（図５の矢印Ｘ方向）に沿って貫通した構造に組み立てられる。
【０００５】
図示例のインナーハウジング１１０の場合、ハウジング分割体１２１は、シールド電線１０３の挿入側となる基端側の上部を開放部１２２としたハウジング本体である。開放部１２２には、複数の端子収容部１１３の基端側１１３ａが、複数条の溝状に露出している。各端子収容部１１３の基端側１１３ａには、予め、信号線１０４やドレーン線１０５を圧接接続する圧接端子が装着されていて、信号線１０４やドレーン線１０５を対応する圧接端子に割り込ませることで、各圧接端子にシールド電線１０３が接続された状態になる。
【０００６】
図示例の場合、ハウジング分割体１２１に係合合体される他方のハウジング分割体１３１は、開放部１２２を開閉可能に覆うカバー部材である。ハウジング分割体１２１がハウジング分割体１２１の開放部１２２を覆うことで、各圧接端子に接続された信号線１０４やドレーン線１０５が、各端子収容部１１３内に押圧固定される。
【０００７】
図示例の場合、ハウジング分割体１２１とハウジング分割体１３１とを係合合体させる手段として、ハウジング分割体１３１に装備された係合片１３３と、ハウジング分割体１２１に装備された係止部１２７とを備える。
【０００８】
係合片１３３は、ハウジング分割体１３１の両側縁に垂設された弾性壁部１３３ａと、この弾性壁部１３３ａの先端に突設された係合突起部１３３ｂとを有している。弾性壁部１３３ａは、ハウジング本体であるハウジング分割体１２１の両側壁１２４，１２５の内面に重なるように、延設されている。
【０００９】
係止部１２７は、係合突起部１３３ｂが係合するように、ハウジング分割体１２１の両側壁１２４，１２５に形成された切欠である。
【００１０】
アウターハウジング１４０は、略角筒状で、金属板により形成されている。このアウターハウジング１４０は、インナーハウジング１１０の外周を覆うように、インナーハウジングに嵌合装着される。このアウターハウジング１４０は、その側壁部から内方に突出した弾性接触片１４１が、一体形成されている。この弾性接触片１４１は、ハウジング分割体１２１の側面に形成された切欠窓部１２９からハウジング分割体１２１内のドレーン端子に接触することで、ドレーン端子と同電位になり、ハウジング分割体１２１の外周を電磁遮蔽する。
【先行技術文献】
【特許文献】
【００１１】
【特許文献１】特開平１１−３３９８９１号公報
【発明の概要】
【発明が解決しようとする課題】
【００１２】
ところが、上記の特許文献１に記載のコネクタ１０１は、ハウジング分割体１２１とハウジング分割体１３１とを係合合体させる手段である係合片１３３と係止部１２７とが、それぞれのハウジング分割体の両外側部に設けられている。そのため、インナーハウジング１１０の幅寸法は、複数の端子収容部１１３の配置に必要な幅寸法の両側に、それぞれ、係合片１３３と係止部１２７との係合に必要な幅寸法を、加算した値となる。従って、これらの係合片１３３や係止部１２７の装備のために、インナーハウジング１１０の外形寸法（幅寸法）が増大し、その結果、コネクタ自体が大型化してしまうという問題が生じた。
【００１３】
そこで、本発明の目的は、上記課題を解消することに係り、インナーハウジングの外形寸法を抑えて、小型化を図ることのできるコネクタを提供することにある。
【課題を解決するための手段】
【００１４】
本発明の前述した目的は、下記の構成により達成される。
（１）複数のハウジング分割体相互の係合合体によって複数の端子収容部がコネクタ嵌合方向に沿って貫通した構造に組み立てられるインナーハウジングと、このインナーハウジングの外周を覆うように前記インナーハウジングに嵌合装着されるアウターハウジングとを備え、
前記ハウジング分割体相互を係合合体させる手段として、
係合合体させる前記ハウジング分割体相互の一方に装備されて、他方のハウジング分割体において隣接する端子収容部間に挿入される係合片と、
他方のハウジング分割体における端子収容部間に装備されて、挿入された前記係合片に係合して、ハウジング分割体相互を連結状態にする係止部と、を備えたコネクタであって、
前記係合片及び係止部が、係合合体するハウジング分割体相互の嵌合方向に位置をずらした複数箇所に設けられていることを特徴とするコネクタ。
【００１６】
上記（１）の構成によれば、ハウジング分割体相互を係合合体させる手段である係合片と係止部とは、各ハウジング分割体において隣接する端子収容部間のスペースで係合を果たす。
【００１７】
従って、インナーハウジングの幅寸法は、複数の端子収容部の配置に必要な幅寸法の両外側に、それぞれ、係合片と係止部との係合に必要な幅寸法を加算する必要がなくなる。そのため、インナーハウジングの外形寸法を抑えて、小型化を図ることができる。
【００１８】
また、上記（１）の構成によれば、係合片と係止部との係合箇所が複数になっているため、ハウジング分割体相互の結合強度を向上させることができる。しかも、複数の係合箇所相互が、ハウジング分割体相互の嵌合方向に位置をずらしているため、ハウジング分割体相互の嵌合時に必要な挿入力を軽減することができ、インナーハウジングの組立性を向上させることもできる。
【発明の効果】
【００１９】
本発明によるコネクタによれば、ハウジング分割体相互を係合合体させる手段である係合片と係止部とは、各ハウジング分割体において隣接する端子収容部間のスペースで係合を果たす。
【００２０】
従って、インナーハウジングの幅寸法は、複数の端子収容部の配置に必要な幅寸法の両外側に、それぞれ、係合片と係止部との係合に必要な幅寸法を加算する必要がなくなる。そのため、インナーハウジングの外形寸法を抑えて、小型化を図ることができる。
【図面の簡単な説明】
【００２１】
【図１】本発明に係るコネクタの一実施形態の組立状態の斜視図である。
【図２】図１のコネクタにおけるインナーハウジングの分解斜視図である。
【図３】図２の第１ハウジング分割体に装備された係合片の配置を示す斜視図である。
【図４】図２の第２ハウジング分割体に装備された係止部の配置を示す斜視図である。
【図５】従来のコネクタの分解斜視図である。
【発明を実施するための形態】
【００２２】
以下、本発明に係るコネクタの好適な実施形態について、図面を参照して詳細に説明する。
【００２３】
図１〜図４は本発明に係るコネクタの一実施形態を示したもので、図１は一実施形態のコネクタの組立状態の斜視図、図２は図１のコネクタにおけるインナーハウジングの分解斜視図、図３は図２の第１ハウジング分割体に装備された係合片の配置を示す斜視図、図４は図２の第２ハウジング分割体に装備された係止部の配置を示す斜視図である。
【００２４】
この一実施形態のコネクタ１は、ＩＥＥＥ１３９４規格に準拠した４ピンのシールドコネクタで、図１に示すように、シールド電線３の信号線やドレーン線に接続された接続端子（不図示）を収容保持するインナーハウジング１０と、該インナーハウジング１０の外周囲を覆うアウターハウジング４０と、を備えている。
【００２５】
インナーハウジング１０は、図２に示すように、第１ハウジング分割体２０と第２ハウジング分割体３０との２つのハウジング分割体２０，３０相互の係合合体によって、４つの端子収容部１３がコネクタ嵌合方向（図２の矢印Ｘ１に沿う方向）に沿って貫通した構造に構成されている。
【００２６】
インナーハウジング１０の４つの端子収容部１３は、図１に示すように、上下２段、幅方向に２列に並ぶ。
【００２７】
インナーハウジング１０を構成する第１ハウジング分割体２０と、第２ハウジング分割体３０は、いずれも樹脂製である。
【００２８】
これらの２つのハウジング分割体２０，３０は、インナーハウジング１０を、前端部と、後端部の２つに分割したものである。
【００２９】
インナーハウジング１０の前端部を構成する第１ハウジング分割体２０は、前端面に、相手コネクタの接続端子が挿入される端子導入用開口１３ａが、上下２段、幅方向に２列に形成されている。端子導入用開口１３ａは、端子収容部１３の前端部を構成する。
【００３０】
インナーハウジング１０の後端部を構成する第２ハウジング分割体３０は、シールド電線３の信号線やドレーン線に接続された接続端子（不図示）を収容保持する４つの端子収容孔１３ｂが、上下２段、幅方向に２列に形成されている。端子収容孔１３ｂは、端子収容部１３の後端部を構成する。
【００３１】
本実施形態の場合、２つのハウジング分割体２０，３０は、図２に矢印Ｘ１で示すコネクタ嵌合方向に沿って突き合わせることで、係合合体させる。
【００３２】
本実施形態の場合、２つのハウジング分割体２０，３０を係合合体させる手段として、一方のハウジング分割体である第１ハウジング分割体２０に装備された２つの係合片２２と、他方のハウジング分割体である第２ハウジング分割体３０に装備された２つの係止部３２と、を備える。
【００３３】
２つの係合片２２は、図３に示すように第１ハウジング分割体２０に一体形成されたリブ２３の両面に１つずつ、設けられている。リブ２３は、第１ハウジング分割体２０の幅方向に隣接する一対の端子導入用開口１３ａ間から、コネクタ嵌合方向に沿って延出し、第２ハウジング分割体３０において幅方向に隣接する端子収容孔１３ｂ間に挿入される隔壁状である。
【００３４】
各係合片２２は、リブ２３から第１ハウジング分割体２０の幅方向（図３の矢印Ｙ１方向）に突出した係合突起で、コネクタ嵌合方向の先端面には、傾斜した案内面２２ａが設けられている。
【００３５】
２つの係合片２２は、リブ２３と一体に、第２ハウジング分割体３０において幅方向に隣接する端子収容孔１３ｂ間に挿入される。本実施形態の場合、２つの係合片２２は、図３に示すように、ハウジング分割体相互の嵌合方向に位置をずらした２箇所に設けられている。図３に示した寸法Ｌ１は、２つの係合片２２におけるハウジング分割体相互の嵌合方向におけるずれ量である。
【００３６】
係止部３２は、他方のハウジング分割体である第２ハウジング分割体３０において幅方向（図４の矢印Ｙ２方向）に隣接する端子収容孔１３ｂ間に装備されている。更に、詳しく説明すると、第２ハウジング分割体３０において幅方向に隣接する端子収容孔１３ｂ間には、図４に示すように、リブ２３及び係合片２２が挿入可能な隙間３３が、コネクタ嵌合方向に沿って形成されている。
【００３７】
隙間３３は、第２ハウジング分割体３０の幅方向に対向する一対の隔壁３４によって区画形成されている。そして一対の隔壁３４には、リブ２３が隙間３３に対して挿入完了したときにリブ２３上の各係合片２２が係合するように、係止部３２が設けられている。本実施形態の場合、係止部３２は、図４に示すように、係合片２２が係合する切欠穴で、係合片２２が係合することによって、ハウジング分割体相互を連結状態にする。
【００３８】
一対の隔壁３４に形成された２つの係止部３２は、第１ハウジング分割体２０における係合片２２の配置に対応して、ハウジング分割体相互の嵌合方向に位置をずらした配置になっている。
【００３９】
アウターハウジング４０は、略角筒状で、インナーハウジング１０の外周を覆うように、インナーハウジングに嵌合装着される。このアウターハウジング４０は、インナーハウジング１０の外周を電磁遮蔽するシールド構造を備えている。
【００４０】
以上に説明した一実施形態のコネクタ１では、ハウジング分割体２０，３０相互を係合合体させる手段である係合片２２と係止部３２とは、各ハウジング分割体において隣接する端子収容部１３間のスペースである隙間３３内で係合を果たす。
従って、インナーハウジング１０の幅寸法は、複数の端子収容部の配置に必要な幅寸法の両外側に、それぞれ、係合片２２と係止部３２との係合に必要な幅寸法を加算する必要がなくなる。そのため、インナーハウジング１０の外形寸法を抑えて、小型化を図ることができる。
【００４１】
また、以上に説明した一実施形態のコネクタ１では、係合片２２と係止部３２との係合箇所が複数になっているため、各係合箇所における結合強度が加算された大きな結合強度を得ることができ、ハウジング分割体２０，３０相互の結合強度を向上させることができる。しかも、複数の係合箇所相互が、ハウジング分割体２０，３０相互の嵌合方向に位置をずらしているため、ハウジング分割体２０，３０相互の嵌合時に必要な挿入力を軽減することができ、インナーハウジング１０の組立性を向上させることもできる。
【００４２】
なお、本発明のコネクタは、前述した各実施形態に限定されるものでなく、適宜な変形、改良等が可能である。また、本発明のコネクタを構成する各部品の材質、形状、寸法等は、本発明の目的を達成できるものであれば、任意であり、前述した各実施形態に限定されない。
【００４３】
例えば、係合片２２及び係止部３２の装備数は、上記実施形態に限らない。また、上記実施形態の場合とは逆に、第２ハウジング分割体に係合片２２を装備し、第１ハウジング分割体に係止部３２を設けた構造とすることも可能である。
【００４４】
また、本発明のインナーハウジングを複数のハウジング分割体に分割する際の分割する位置や、分割数は、上記実施形態に限らない。例えば、インナーハウジングを、３つ以上の複数のハウジング分割体の係合合体により形成することもできる。また、インナーハウジングの分割は、上記実施形態のように、前後に複数のハウジング分割体に分割する形態に限るものではなく、上下に複数のハウジング分割体に分割した形態とすることもできる。
【００４５】
更に、上記実施形態において例示した係合片２２や係止部３２の形状や配置箇所等は、本発明の目的を達成できるものであれば、任意であり、前述した各実施形態に限定されない。
【符号の説明】
【００４６】
１  コネクタ
３  シールド電線
１０  インナーハウジング
１３  端子収容部
１３ａ  端子導入用開口（端子収容部）
１３ｂ  端子収容孔（端子収容部）
２０  第１ハウジング分割体（ハウジング分割体）
２２  係合片
２３  リブ
３０  第２ハウジング分割体（ハウジング分割体）
３２  係止部
３３  隙間
４０  アウターハウジング
【図１】
0005635338.tif 000002
【図２】
0005635338.tif 000003
【図３】
0005635338.tif 000004
【図４】
0005635338.tif 000005
【図５】
0005635338.tif 000006